(57)【要約】【課題】ＩＣカード機能により取り込んだコンテンツを移動機ＯＳ上で動作する特定のアプリケーション以外のアプリケーションと連動させることを可能にすること。【解決手段】本発明に係るシステムにおいては、移動体端末１１の通信部が外部Ｒ／Ｗ１７からの搬送波を検出した後に、その通信部と外部Ｒ／Ｗ１７との間で通信を開始し、外部Ｒ／Ｗ１７から非接触カード機能用コンテンツのコンテンツ簡易データを取得する。取得したコンテンツ簡易データは、非接触カード機能用コンテンツを使用する制御部に転送されて格納される。また、このシステムにおいては、コンテンツ簡易データに含まれるＵＲＬに接続することによりコンテンツ簡易データに対応する非接触カード機能用コンテンツのコンテンツ本体データをダウンロードして移動体端末１１内に格納する。【選択図】図１
2006134210.tif 000002
【特許請求の範囲】
【請求項１】
オペレーティングシステムを有する端末本体と、前記端末本体に設けられ、外部機器から非接触カード機能用コンテンツを取得する非接触カード機能手段と、前記オペレーティングシステム上で動作し、前記非接触カード機能用コンテンツを使用するための制御を行う非接触カード機能制御手段と、を具備することを特徴とする移動体端末装置。
【請求項２】
前記非接触カード機能制御手段は、前記非接触カード機能用コンテンツの属性に応じて管理する管理手段を有することを特徴とする請求項１記載の移動体端末装置。
【請求項３】
前記管理手段は、前記非接触カード機能用コンテンツに対応する任意のコードを用いて前記非接触カード機能用コンテンツを管理することを特徴とする請求項２記載の移動体端末装置。
【請求項４】
前記非接触カード機能用コンテンツは、コンテンツ簡易データ及びコンテンツ本体データを含み、前記非接触カード機能制御手段は、前記外部機器から取得したコンテンツ簡易データを格納する格納手段を有することを特徴とする請求項１から請求項３のいずれかに記載の移動体端末装置。
【請求項５】
前記コンテンツ簡易データは、前記コンテンツ本体データを取得するためにアクセスするＵＲＬを含み、前記ＵＲＬに接続する通信制御手段を具備し、前記格納手段は、前記ＵＲＬに接続して取得した前記コンテンツ本体データを格納することを特徴とする請求項４記載の移動体端末装置。
【請求項６】
前記非接触カード機能制御手段は、前記コンテンツ本体データ及び／又は前記コンテンツ簡易データを外部メモリとの間でインポート又はエクスポートする制御を行う手段を有することを特徴とする請求項４又は請求項５記載の移動体端末装置。
【請求項７】
外部機器から非接触カード機能用コンテンツのコンテンツ簡易データを移動体端末装置で取得するデータ取得方法であって、
前記外部機器から非接触カード機能手段に前記コンテンツ簡易データを転送するステップと、
前記コンテンツ簡易データを前記移動体端末装置のオペレーティングシステム上で動作する非接触カード機能制御手段の格納手段に格納するステップと、
を具備することを特徴とするデータ取得方法。
【請求項８】
前記コンテンツ簡易データは、前記コンテンツ本体データを取得するためにアクセスするＵＲＬを含み、前記ＵＲＬにアクセスして前記コンテンツ簡易データに対応するコンテンツ本体データを取得するステップを具備することを特徴とする請求項７記載のデータ取得方法。
【請求項９】
前記コンテンツ本体データ及び／又は前記コンテンツ簡易データを外部メモリとの間でインポート又はエクスポートするステップを具備することを特徴とする請求項７又は請求項８記載のデータ取得方法。
【発明の詳細な説明】
【技術分野】
【０００１】
本発明は、移動体端末装置及びそれを用いたデータ取得方法に関し、非接触カード機能を搭載した移動体端末装置及び非接触カード機能を利用して簡便に任意のデータを取得する方法に関する。
【背景技術】
【０００２】
移動体端末装置の高機能化に伴い、移動体端末装置を利用して様々なデータを取得する場面が増加している。一般的には、パケット網などを介してインターネット経由でコンテンツをダウンロードすることが行われる。また、データの種類によってはメールに添付して送受信することが可能である。さらに、最近では、赤外線通信や二次元バーコードを利用したデータの送受信も行われている。
【０００３】
近年、ＩＣカード機能を搭載した移動体端末装置が広く普及している。このＩＣカード機能を利用したデータの受け渡しは、移動体端末装置側の電源が入っていなくても行うことができたり、外部Ｒ／Ｗにかざすだけで実行ができるというように、ユーザにとっては非常に操作が簡便である。
【０００４】
【特許文献１】特開２００３−２９６２３３号公報
【発明の開示】
【発明が解決しようとする課題】
【０００５】
しかしながら、これらの移動体端末装置のＩＣカード機能は、外部Ｒ／Ｗと移動体端末装置のＩＣカード機能部との間の通信で実現されており、通常、移動体端末装置の移動機オペレーティングシステム（ＯＳ）と連携していない。したがって、ＩＣカード機能により取り込んだコンテンツは、そのコンテンツと関連づけられた特定のアプリケーション、例えばＪａｖａ（登録商標）アプリケーションやＢＲＥＷ（登録商標）アプリケーションを除いて、移動機ＯＳ上で動作するアプリケーション、例えばｉアプリ（登録商標）と連動することができなかった。
【０００６】
本発明はかかる点に鑑みてなされたものであり、ＩＣカード機能により取り込んだコンテンツを移動機ＯＳ上で動作する特定のアプリケーション以外のアプリケーションと連動させることを可能にする移動体端末装置及びそれを用いたデータ取得方法を提供することを目的とする。
【課題を解決するための手段】
【０００７】
本発明の移動体端末装置は、オペレーティングシステムを有する端末本体と、前記端末本体に設けられ、外部機器から非接触カード機能用コンテンツを取得する非接触カード機能手段と、前記オペレーティングシステム上で動作し、前記非接触カード機能用コンテンツを使用するための制御を行う非接触カード機能制御手段と、を具備することを特徴とする。
【０００８】
この構成によれば、非接触カード機能手段を、非接触カード機能用コンテンツを取り込むためのパイプとして利用して、非接触カード機能用コンテンツを移動機ＯＳ上で動作する非接触カード機能制御手段に受け渡すことができる。これにより、非接触カード機能により取り込んだコンテンツを移動機ＯＳ上で動作する特定のアプリケーション、例えばＪａｖａ（登録商標）アプリケーションやＢＲＥＷ（登録商標）アプリケーション以外のアプリケーションと連動させることができる。
【０００９】
本発明の移動体端末装置においては、前記非接触カード機能制御手段は、前記非接触カード機能用コンテンツの属性に応じて管理する管理手段を有することが好ましい。この構成によれば、ソート処理や検索処理を容易にすることができる。
【００１０】
本発明の移動体端末装置においては、前記管理手段は、前記非接触カード機能用コンテンツに対応する任意のコードを用いて前記非接触カード機能用コンテンツを管理することが好ましい。この構成によれば、管理データのデータ量を少なくすることが可能となる。また、種々の非接触カード機能用コンテンツに対応する任意のコード、例えばアイコンコードや地域コードなどを用いることにより、画面上でユーザに見易く表示することができる。
【００１１】
本発明の移動体端末装置においては、前記非接触カード機能用コンテンツは、コンテンツ簡易データ及びコンテンツ本体データを含み、前記非接触カード機能制御手段は、前記外部機器から取得したコンテンツ簡易データを格納する格納手段を有することが好ましい。
【００１２】
本発明の移動体端末装置においては、前記コンテンツ簡易データは、前記コンテンツ本体データを取得するためにアクセスするＵＲＬを含み、前記ＵＲＬに接続する通信制御手段を具備し、前記格納手段は、前記ＵＲＬに接続して取得した前記コンテンツ本体データを格納することが好ましい。この構成によれば、コンテンツ簡易データよりも詳細な情報、すなわちコンテンツ本体データを得ることができる。
【００１３】
本発明の移動体端末装置においては、前記非接触カード機能制御手段は、前記コンテンツ本体データ及び／又は前記コンテンツ簡易データを外部メモリとの間でインポート又はエクスポートする制御を行う手段を有することが好ましい。この構成によれば、外部機器との間でトルカデータの受け渡しを行うことが可能となる。
【００１４】
本発明のデータ取得方法は、外部機器から非接触カード機能用コンテンツのコンテンツ簡易データを移動体端末装置で取得するデータ取得方法であって、前記外部機器から非接触カード機能手段に前記コンテンツ簡易データを転送するステップと、前記コンテンツ簡易データを前記移動体端末装置のオペレーティングシステム上で動作する非接触カード機能制御手段の格納手段に格納するステップと、を具備することを特徴とする。
【００１５】
この方法によれば、外部機器から取得されたコンテンツ簡易データを移動機オペレーティングシステム上で動作する処理部に引き渡すことができる。これにより、コンテンツ簡易データを移動機オペレーティングシステム上で動作する特定のアプリケーション、例えばＪａｖａ（登録商標）アプリケーションやＢＲＥＷ（登録商標）アプリケーション以外のアプリケーションと連動させることができる。また、非接触カード機能を情報通信のインタフェースとして利用するので、移動体端末装置側で特定のアプリケーションを予め起動する必要がなく、しかも移動体端末装置の電源が入っていなくてもデータ取得が可能である。
【００１６】
本発明のデータ取得方法においては、前記コンテンツ簡易データは、前記コンテンツ本体データを取得するためにアクセスするＵＲＬを含み、前記ＵＲＬにアクセスして前記コンテンツ簡易データに対応するコンテンツ本体データを取得するステップを具備することが好ましい。この方法によれば、コンテンツ簡易データよりも詳細な情報、すなわちコンテンツ本体データを得ることができる。
【００１７】
本発明のデータ取得方法においては、前記コンテンツ本体データ及び／又は前記コンテンツ簡易データを外部メモリとの間でインポート又はエクスポートするステップを具備することが好ましい。この方法によれば、外部機器との間でトルカデータの受け渡しを行うことが可能となる。
【発明の効果】
【００１８】
本発明によれば、外部機器から非接触カード機能手段にコンテンツ簡易データを転送し、このコンテンツ簡易データを移動体端末装置のオペレーティングシステム上で動作する非接触カード機能制御手段の格納手段に格納するので、非接触カード機能用コンテンツを移動機ＯＳ上で動作する特定のアプリケーション、例えばＪａｖａ（登録商標）アプリケーションやＢＲＥＷ（登録商標）アプリケーション以外のアプリケーションと連動させることができる。
【発明を実施するための最良の形態】
【００１９】
本発明者は、ＩＣカード機能が移動体端末装置の移動機オペレーティングシステム（ＯＳ）と連携していないことに着目し、ＩＣカード機能を、非接触カード機能用コンテンツを取り込むためのパイプとして利用して、非接触カード機能用コンテンツを移動機ＯＳ上で動作する処理部に受け渡すことにより、非接触カード機能用コンテンツを移動機ＯＳ上で動作する特定のアプリケーション、例えばＪａｖａ（登録商標）アプリケーションやＢＲＥＷ（登録商標）アプリケーション以外のアプリケーションと連動させることができることを見出し本発明をするに至った。
【００２０】
すなわち、本発明の骨子は、外部機器から非接触カード機能手段にコンテンツ簡易データを転送し、このコンテンツ簡易データを移動体端末装置のオペレーティングシステム上で動作する非接触カード機能制御手段の格納手段に格納することにより、非接触カード機能用コンテンツを移動機ＯＳ上で動作する特定のアプリケーション以外のアプリケーションと連動させることである。
【００２１】
以下、本発明の実施の形態について、添付図面を参照して詳細に説明する。
図１は、本発明の一実施の形態に係る移動体端末装置を含む非接触カード機能管理システムの概略構成を示す図である。
【００２２】
図１に示すシステムは、本発明に係る移動体端末（携帯電話）１１と、この移動体端末１１と移動通信網１２を介して接続された移動通信網用サーバ１３と、移動体端末１１とインターネット１４のようなネットワークを介して接続されたＷｅｂサーバ１５及び非接触カード機能用コンテンツサーバ１６とから主に構成されている。
【００２３】
移動体端末１１は、種々のアプリケーション１１１及び非接触カード機能を実行できる機能を備えている。また、移動体端末１１は、外部リーダライタ（Ｒ／Ｗ）１７と情報の送受信を行うことができる取得手段である通信部（図示せず）を備えている。また、移動体端末１１は、オペレーティングシステム（移動機ＯＳ）を有しており、移動機ＯＳ上でブラウザ機能、ビューワ機能、ＪＡＭ（Java Application Manager）その他の機能が動作する。なお、外部リーダライタ１７は、コントローラ１８により駆動する。
【００２４】
移動体端末１１における非接触カード機能は、非接触カード、例えば非接触ＩＣカード機能用コンテンツを追加などできる機能をいい、例えばフェリカ（Felica：登録商標）などを挙げることができる。本発明においては、非接触カード機能により、外部Ｒ／Ｗ１７から非接触カード機能用コンテンツのコンテンツ簡易データを取得することができる。非接触カード機能を実現するために、移動体端末１１には、非接触カード機能用のコントローラや非接触カードＩＣ１１２が搭載されている。
【００２５】
移動通信網１２は、移動体端末１１と移動通信網用サーバ１３との間のネットワークである。この移動通信網１２には、通常の移動通信網に加えて移動パケット通信網も含まれる。移動通信網用サーバは、例えばｉモード（登録商標）サーバであり、移動通信網１２とインターネット１４とを結ぶゲートウェイ機能を担っており、具体的には、情報配信機能、メール送受信機能、メール蓄積機能、契約顧客管理機能、情報提供者（Information Provider）管理機能、及び情報料課金機能を有する。
【００２６】
ネットワークには、インターネット１４をはじめその他のネットワーク、例えばＬＡＮやＷＡＮなども含まれる。Ｗｅｂサーバ１５は、移動体端末１１にダウンロードするアプリケーション１１１を格納するインターネット１４上のサーバである。
【００２７】
コンテンツサーバ１６は、非接触カード機能用コンテンツを提供する複数のサービスプロバイダから提供されるそれぞれの非接触カード機能用コンテンツのコンテンツ本体データを格納すると共に、非接触カード機能を実現するコントローラとネットワークを介して非接触カード機能用コンテンツの追加・削除、初期化、データの読み書きを行う。また、コンテンツサーバ１６は、コンテンツサーバ１６から非接触カード機能を実現するコントローラに対する処理を行うためのアプリケーションも搭載している。なお、このコンテンツサーバは、サービスプロバイダがそのＷｅｂサーバと共にインターネット１４上に有しても良く、サービスプロバイダのＷｅｂサーバとは別にインターネット１４とは別のネットワーク上にあっても良い。例えば、非接触カード機能がフェリカである場合には、コンテンツサーバ１６はフェリカサーバである。
【００２８】
上記構成を有するシステムにおいては、移動体端末１１の通信部が外部Ｒ／Ｗ１７からの搬送波を検出した後に、その通信部と外部Ｒ／Ｗ１７との間で通信を開始し、外部Ｒ／Ｗ１７から非接触カード機能用コンテンツのコンテンツ簡易データを取得する。取得したコンテンツ簡易データは、非接触カード機能用コンテンツを使用する制御部に転送されて格納される。また、このシステムにおいては、コンテンツ簡易データに含まれるＵＲＬに接続することによりコンテンツ簡易データに対応する非接触カード機能用コンテンツのコンテンツ本体データをダウンロードして移動体端末１１内に格納する。なお、このデータ取得は、移動体端末１１の動作や状態とは独立して行われる。
【００２９】
このシステムにおいては、移動体端末１１内のアプリケーション１１１、例えばｉアプリ（登録商標）からの処理の開始により、非接触カードＩＣ１１２とネットワーク上のコンテンツサーバ１６との間で通信を行い、コンテンツサーバ１６からコンテンツ本体データを取得することができる。
【００３０】
なお、上記構成を有するシステムにおいては、情報配信、メール送受信、メール蓄積、契約顧客管理、情報提供者管理、及び情報料課金を行うことが可能であるが、説明を簡単にするために、ここでは詳細な手順などについて記述しない。
【００３１】
図２は、本発明の一実施の形態に係る移動体端末装置の概略構成を示すブロック図である。なお、図２に示す構成は、本発明を説明するために簡略化したものであり、通常の移動体端末装置に搭載される構成要素は備えているものとする。なお、ここでは、非接触カード機能用コンテンツがトルカコンテンツ（コンテンツ簡易データ及びコンテンツ本体データを含む）である場合について説明する。
【００３２】
図２に示す移動体端末２１は、外部Ｒ／Ｗからトルカコンテンツのコンテンツ簡易データ（トルカスニップデータ）を取得する通信部２１０と、コンテンツ簡易データをバッファリングする非接触カードＩＣ２１１と、非接触カード機能を実現させるためのコントローラ（フェリカオペレーティングシステム）２１２と、移動体端末２１の移動機ＯＳ上で動作し、トルカデータを使用するための種々の制御を行うトルカ制御部２１３と、トルカコンテンツの表示を制御する表示制御部２１４と、表示制御された文字、画像、映像を表示するディスプレイ２１５と、外部Ｒ／Ｗやネットワークとの間の通信を制御する通信制御部２１６と、アンテナ２１７とを含む。
【００３３】
通信部２１０は、移動体端末２１を外部Ｒ／Ｗにかざしたときに、外部Ｒ／Ｗからの指示によりトルカスニップデータやアプリケーション起動情報を取得して、非接触カードＩＣ２１１にバッファリングする。
【００３４】
コントローラ２１２は、非接触カードＩＣ２１１にバッファリングされたトルカスニップデータやアプリケーション起動情報を所定の処理部に受け渡す。すなわち、コントローラ２１２は、ヘッダ識別部を有しており、外部Ｒ／Ｗから取得したトルカスニップデータやアプリケーション起動情報などのデータに付与されたヘッダを識別して所定の処理部に送る。例えば、外部Ｒ／Ｗから取得したデータがトルカスニップデータであれば、トルカ制御部２１３に送り、外部Ｒ／Ｗから取得したデータがアプリケーション起動情報であれば、ＪＡＭ（Java Application Manager、図示せず）に送る。
【００３５】
トルカ制御部２１３は、図２に示すように、処理部全体を制御する制御部２１３１と、トルカコンテンツの属性に応じてトルカスニップデータやトルカ本体データ（併せてトルカデータという）を管理するトルカデータ管理部２１３２と、トルカデータに付与されたヘッダを解析するヘッダ解析部２１３３と、電子メールに添付されたトルカスニップデータを分離するスニップデータ分離部２１３４と、外部メモリとの間でトルカ本体データ及び／又はトルカスニップデータをインポート又はエクスポートすることを制御するインポート／エクスポート制御部２１３５とトルカデータを含む。
【００３６】
トルカデータ管理部２１３２は、トルカデータの属性、例えばカテゴリ、場所などに応じてトルカデータを管理する。また、トルカデータ管理部２１３２は、属性によるソート処理や検索処理を行う。この場合、トルカデータ管理部２１３２は、アイコンコードや地域コードなどのトルカコンテンツに対応する任意のコードを用いてトルカデータを管理することが好ましい。任意のコードとトルカデータの属性とを関連づけておくことにより、ソート処理や検索処理が容易になる。例えば、図３に示すように、レストランを示すアイコンとタイトル（レストラン名）を関連づけることにより、ユーザはレストランに関するトルカスニップデータであることを視認することができる。また、アイコンコードで管理することにより管理データのデータ量を少なくすることが可能となる。また、種々のアイコンを用いることにより、図４に示すように、画面上でユーザに見易く表示することができる。このように管理されたトルカデータは、表示制御部２１４で表示制御された後にディスプレイ２１５で表示される。
【００３７】
ヘッダ解析部２１３３は、トルカデータに付与されるヘッダを解析してメモリ２１３６の所定の格納領域にトルカデータを格納する。トルカデータに付与されるヘッダは、少なくともトルカデータであることを示す識別子と、トルカデータのバージョンを示すバージョン情報と、トルカスニップデータかトルカ本体データかを示すトルカ種別情報とを含む。例えば、ヘッダ解析部２１３３は、ヘッダを解析して、トルカデータがトルカスニップデータであると認識した場合にはメモリ２１３６のトルカスニップデータ格納領域に格納し、トルカデータがトルカ本体データであると認識した場合にはメモリのトルカ本体データ格納領域に格納する。また、ヘッダ解析部２１３３は、ヘッダのバージョン情報に基づいて必要に応じてメモリ２１３６に格納されているトルカデータを更新する。
【００３８】
スニップデータ分離部２１３４は、アンテナ２１７を介して通信制御部２１６で受信した電子メールにトルカスニップデータが添付されている場合に、トルカスニップデータを分離してメモリ２１３６に格納する。また、スニップデータ分離部２１３４は、電子メールにトルカスニップデータを添付する機能も有する。なお、この機能はメーラ機能を備えた通信制御部２１６に持たせても良い。
【００３９】
インポート／エクスポート制御部２１３５は、トルカデータを外部メモリ、例えばＣＤやＤＶＤなどの記憶媒体などにエクスポートし、外部メモリからトルカデータをインポートする処理を制御する。これにより、外部機器との間でトルカデータの受け渡しを行うことが可能となる。
【００４０】
表示制御部２１４は、ビューワ機能を備えており、取得したトルカデータをディスプレイ２１５上に表示する。また、表示制御部２１４は、トルカデータを所定の表示形式にフォーマットしてディスプレイ２１５に表示させる。トルカスニップデータは、図５に示すようなレイアウトで表示される。図５に示すレイアウトにおいては、固定表示領域と可変表示領域とが含まれており、固定表示領域には場所やタイトルなどの情報が表記され、可変表示領域にはタイトルに関する簡単な説明が表記される。この簡単な説明には、トルカ本体データを取得するためにアクセスするＵＲＬなどが含まれる。また、トルカ本体データは、図６に示すようなレイアウトで表示される。図６に示すレイアウトにおいても、固定表示領域と可変表示領域とが含まれており、固定表示領域には場所やタイトルなどの情報が表記され、可変表示領域にはタイトルに関する詳細な説明が表記される。この詳細な説明には、関連リンクＵＲＬ、電話番号、メールアドレスなどが含まれる。
【００４１】
通信制御部２１６は、移動体端末２１と他の移動体端末装置や別の通信機器との間の無線通信の制御などを行う。例えば、通信制御部２１６は、アンテナ２１７からの無線信号を受信すると共に、他の移動体端末や別の通信機器に送信する信号をアンテナ２１７を介して送信する。また、通信制御部２１６は、ブラウザ機能やメーラ機能を備えている。したがって、通信制御部２１６は、トルカスニップデータに含まれる、トルカ本体データを取得するためにアクセスするＵＲＬに接続してトルカ本体データをダウンロードする。また、通信制御部２１６は、ブラウザ機能により、Ｗｅｂ上からトルカ本体データをダウンロードすることができる。また、通信制御部２１６は、トルカ本体データに含まれるＵＲＬからＷｅｂにリンクする機能、トルカ本体データに含まれる電話番号から発信する機能、トルカ本体データに含まれるメールアドレスからメール送信する機能を備えている。さらに、Ｊａｖａ（登録商標）アプリケーションやブラウザは、通信に必要なコマンド、例えばＡＰＩ（Application Program Interface）を用いて通信制御部２１６を介して通信を行い、アプリケーション内部にコンテンツデータそのものが包含されている場合は、そのコンテンツデータを読み取って他のアプリケーションに引き継いだり、ＵＲＬが記載されている場合はそのＵＲＬに基づいて所定のサイトにアクセスしてトルカデータを取得することも可能である。なお、通信制御部２１６は、光通信、赤外線通信、Bluetooth通信などにも対応できる構成を備えていても良い。
【００４２】
次に、上記構成を有する移動体端末によるトルカスニップデータの取得について説明する。図７は、移動体端末を用いてトルカスニップデータを取得する動作を示す図である。また、図８は、移動体端末を用いてトルカスニップデータを取得する際の処理手順を示す図である。本発明に係るデータ取得方法では、ユーザが外部Ｒ／Ｗ１７に移動体端末２１をかざしてトルカスニップデータを移動体端末２１に保存する。
【００４３】
外部Ｒ／Ｗ１７は、所定の搬送波をトルカスニップデータで変調し、この情報信号を常時報知している。図７に示すように、この外部Ｒ／Ｗ１７に移動体端末２１を近づけると、移動体端末２１の非接触カードＩＣ２１１が通信部２１０を介して情報信号を検出する。情報信号は電磁波であるので、この電磁波により非接触カードＩＣ２１１が起動する。そして、外部Ｒ／Ｗ１７は第１コマンド（Push Command）を発行し、移動体端末２１内の非接触カードＩＣ２１１内のバッファに情報信号をバッファリングする。バッファリングが完了すると非接触カードＩＣ２１１から応答信号が外部Ｒ／Ｗ１７に送られる。
【００４４】
次いで、外部Ｒ／Ｗ１７は、第２コマンド（Activate2 Command）を発行して非接触カードＩＣ２１１のインタフェースを切り替える。非接触カードＩＣ２１１は、情報信号を受信可能なインタフェースからシリアルインタフェースに切り替え、応答信号を外部Ｒ／Ｗ１７に送信する。また、非接触カードＩＣ２１１は、コントローラ２１２に対して通信可能であることをコントローラ２１２に通知する。
【００４５】
コントローラ２１２は、第３コマンド（Pull Command）を発行し、非接触カードＩＣ２１１内のバッファから情報信号を取得する。情報信号を取得すると、コントローラ２１２から応答信号が非接触カードＩＣ２１１に送られる。コントローラ２１２は、取得した情報信号、すなわちトルカスニップデータをトルカ制御部２１３に転送する。トルカ制御部２１３では、トルカスニップデータをメモリ２１３６に格納する。
【００４６】
なお、コントローラ２１２は、ヘッダ識別部を有しているので、情報信号に付与されているヘッダを識別して、情報信号がトルカスニップデータである場合には、上記のようにトルカスニップデータをトルカ制御部２１３に送り、情報信号が他のデータである場合には、適宜他の処理部に転送する。
【００４７】
なお、外部Ｒ／Ｗ１７からの情報信号がアプリケーション起動情報やブラウザ起動情報である場合には、上記と同じシーケンスにより外部Ｒ／Ｗ１７から移動体端末２１に情報信号が転送され、その情報信号に基づいてアプリケーション起動の要求やブラウザ起動の要求が行われ、移動機ＯＳ上でアプリケーション起動やブラウザ起動がなされる。
【００４８】
上記のようにして外部Ｒ／Ｗから取得したトルカスニップデータは、データの受け渡しを容易にするために非常に簡素化されたデータのみで構成されている。したがって、ユーザは、そのトルカコンテンツに関してより詳細な内容を取得した場合には、インターネット経由でトルカ本体データを取得する。この作業を「トルカコンテンツ（カード）の実体化」と呼ぶ。
【００４９】
図９は、トルカコンテンツの実体化を説明するための図である。また、図１０は、トルカ本体データをダウンロードする際の画面表示例を示す図である。
トルカコンテンツの実体化を行う場合、まず、図９（ａ）に示すように、取得したトルカスニップデータの一覧表示画面から実体化したい、すなわち詳細な情報を得たいスニップを選択する。スニップを選択すると、図９（ｂ）に示すように、スニップの詳細画面が表示される。この詳細画面において「詳細」ボタンを押下すると、図９（ｃ）に示すように、トルカ本体データの取得のための確認画面が表示される。確認画面においてダウンロードすることを選択すると、インターネット接続を行ってトルカスニップデータに含まれるＵＲＬにアクセスして、トルカ本体データをダウンロードして、図９（ｄ）に示す表示がなされる。具体的には、ダウンロードが完了すると、図１０（ａ）に示すような画面表示になる。そして、プレビューボタンを押下すると、図１０（ｂ）に示すように、詳細データを含む画面表示がなされる。また、図１０（ａ）に示す画面において保存ボタンを押下すると、図１０（ｃ）に示すような画面表示がなされる。
【００５０】
このように本実施の形態に係るデータ取得方法によれば、外部Ｒ／Ｗから取得されたトルカスニップデータを移動機ＯＳ上で動作する処理部に引き渡すことができる。これにより、トルカスニップデータを移動機ＯＳ上で動作する特定のアプリケーション、例えばＪａｖａ（登録商標）アプリケーションやＢＲＥＷ（登録商標）アプリケーション以外のアプリケーションと連動させることができる。また、非接触カード機能を情報通信のインタフェースとして利用するので、移動体端末側で特定のアプリケーションを予め起動する必要がなく、しかも移動体端末の電源が入っていなくてもデータ取得が可能である。
【００５１】
本発明は上記実施の形態に限定されず、種々変更して実施することが可能である。例えば、上記実施の形態で説明した構成に限定されず、本発明の範囲を逸脱しない限りにおいて適宜変更して実施することが可能である。上記実施の形態においては、非接触カード機能がフェリカである場合について説明しているが、本発明は非接触カード機能がフェリカ以外の非接触カード機能である場合にも同様に適用することができる。また、上記実施の形態においては、非接触カード機能用コンテンツがトルカコンテンツである場合について説明しているが、本発明は非接触カード機能用コンテンツがトルカコンテンツ以外の非接触カード機能用コンテンツである場合にも同様に適用することができる。
【図面の簡単な説明】
【００５２】
【図１】本発明の一実施の形態に係る移動体端末装置を含む非接触カード機能管理システムの概略構成を示す図である。
【図２】本発明の一実施の形態に係る移動体端末装置の概略構成を示すブロック図である。
【図３】本発明の一実施の形態に係る移動体端末装置においてトルカスニップデータの表示例を示す図である。
【図４】本発明の一実施の形態に係る移動体端末装置においてトルカデータの表示例を示す図である。
【図５】本発明の一実施の形態に係る移動体端末装置においてトルカスニップデータの表示領域例を示す図である。
【図６】本発明の一実施の形態に係る移動体端末装置においてトルカ本体データの表示領域例を示す図である。
【図７】移動体端末を用いてトルカスニップデータを取得する動作を示す図である。
【図８】移動体端末を用いてトルカスニップデータを取得する際の処理手順を示す図である。
【図９】トルカコンテンツの実体化を説明するための図である。
【図１０】トルカ本体データをダウンロードする際の画面表示例を示す図である。
【符号の説明】
【００５３】
１１，２１  移動体端末
１２  移動通信網
１３  移動通信網用サーバ
１４  インターネット
１５  Ｗｅｂサーバ
１６  非接触カード機能用コンテンツサーバ
１７  外部リーダライタ
１８，２１２  コントローラ
１１１  アプリケーション
１１２，２１１  非接触カードＩＣ
２１０  通信部
２１３  トルカ制御部
２１４  表示制御部
２１５  ディスプレイ
２１６  通信制御部
２１７  アンテナ
２１３１  制御部
２１３２  トルカデータ管理部
２１３３  ヘッダ解析部
２１３４  スニップデータ分離部
２１３５  インポート／エクスポート制御部
２１３６  メモリ
【図１】
2006134210.tif 000003
【図２】
2006134210.tif 000004
【図３】
2006134210.tif 000005
【図４】
2006134210.tif 000006
【図５】
2006134210.tif 000007
【図６】
2006134210.tif 000008
【図７】
2006134210.tif 000009
【図８】
2006134210.tif 000010
【図９】
2006134210.tif 000011
【図１０】
2006134210.tif 000012